(57)【要約】  インテリジェント衣類洗濯管理装置、方法および洗濯機において、前記装置は少なくとも衣類モジュール、洗濯プログラム提案モジュール、メモリモジュールおよび処理モジュールを含む。前記装置はインテリジェント端末に設置され、前記インテリジェント端末は洗濯設備と通信接続される。前記洗濯プログラム提案モジュールは、衣類モジュールから選択された衣類に基づいて、メモリモジュール中に保存された情報により、好ましい洗濯パラメータを提案する。前記処理モジュールは、洗濯プログラム提案モジュールが提案した洗濯パラメータを受信して、洗濯設備を制御する。本発明が示すインテリジェント衣類洗濯管理装置を使用すると、ユーザが各種種類、様々な素材、および様々な色の衣類を選択して衣類洗濯することき、分析処理により、ユーザに最適な洗濯プログラムを自動で提案する。【選択図】図１
2018511379.tif 000002
【特許請求の範囲】
【請求項１】
インテリジェント衣類洗濯管理装置であって、前記装置は少なくとも衣類モジュール、洗濯プログラム提案モジュール、メモリモジュールおよび処理モジュールを含み、前記装置はインテリジェント端末に設置され、前記インテリジェント端末は洗濯設備と通信接続され、前記洗濯プログラム提案モジュールは、衣類モジュールから選択された衣類に基づいて、メモリモジュール中に保存された情報により、好ましい洗濯パラメータを提案し、前記処理モジュールは、洗濯プログラム提案モジュールが提案した洗濯パラメータを受信して、洗濯設備を制御することを特徴とする装置。
【請求項２】
衣類モジュール、処理モジュールとそれぞれ接続される言語モジュールをさらに含み、前記言語モジュールは、前記インテリジェント端末のマイクロフォンで入力された言語情報を受信し、言語情報を入力することにより、前記衣類モジュール中で衣類を選択し、前記洗濯プログラム提案モジュールは、選択された衣類のメモリモジュール中に保存された情報に基づいて、好ましい洗濯パラメータを提案し、前記処理モジュールはさらに分析処理を行い、洗濯設備を制御することを特徴とする、請求項１に記載のインテリジェント衣類洗濯管理装置。
【請求項３】
前記衣類モジュールが衣類の種類および衣類情報を含み、前記衣類情報が少なくとも衣類の素材、衣類の色を含み、前記衣類の種類が少なくとも衣類の洗濯強度により分類される種類を含み、強力類、しなやか類、デニム類、大物類、特殊類、頑固類を含むがこれに限定されないことを特徴とする、請求項１に記載のインテリジェント衣類洗濯管理装置。
【請求項４】
前記衣類情報がさらに衣類の名称、洗濯強度、属するカテゴリ、衣類の質量を含むことを特徴とする、請求項３に記載のインテリジェント衣類洗濯管理装置。
【請求項５】
前記メモリモジュールが、衣類モジュール中の衣類と、１種の衣類および／または１種以上の衣類の組合せに対応する洗濯パラメータとを保存し；前記洗濯パラメータは洗濯時間、洗濯温度、回転速度を含むことを特徴とする、請求項１に記載のインテリジェント衣類洗濯管理装置。
【請求項６】
前記洗濯パラメータがさらに浸漬時間、すすぎ時間、脱水時間、水位を含むことを特徴とする、請求項５に記載のインテリジェント衣類洗濯管理装置。
【請求項７】
付加機能モジュールをさらに含み、前記付加機能モジュールは、前記洗濯プログラム提案モジュールが提案する好ましい洗濯パラメータに基づいて設定され、操作を選択することができる表示はインテリジェント端末にあり、前記付加機能モジュールは乾燥、洗剤、柔軟剤の１つまたはその組合せを含むことを特徴とする、請求項１に記載のインテリジェント衣類洗濯管理装置。
【請求項８】
通知モジュールをさらに含み、前記通知モジュールは選択した衣類が混ぜて洗濯するのに適さない、および／または選択した衣類が所定の質量を超えていることを通知することを特徴とする、請求項１に記載のインテリジェント衣類洗濯管理装置。
【請求項９】
インテリジェント衣類洗濯管理装置の衣類洗濯方法であって、前記方法が以下の
Ｓ１：衣類モジュール中に表示されるカテゴリの衣類を１カテゴリまたは数カテゴリ選択し、すでに選択した衣類が洗濯物領域に表示される工程と；
Ｓ２：スタートをクリックすると、洗濯プログラム提案モジュールが、選択された衣類に基づいて分析した後、好ましい洗濯パラメータを自動で提案する工程と；
Ｓ３：表示される提案された洗濯パラメータを起動すると、処理モジュールは洗濯プログラム提案モジュールが提案した洗濯パラメータを受信して、洗濯設備を制御し；洗濯パラメータは少なくとも洗濯時間、洗濯温度、回転速度を含む工程と；
を含むことを特徴とする方法。
【請求項１０】
工程Ｓ１において、表示されるカテゴリの衣類を選択するとき、各種の衣類を数回選択した場合、該衣類を数着選択したと表示されることを特徴とする、請求項９に記載の方法。
【請求項１１】
工程Ｓ１において、洗濯物領域に表示される衣類は削除することができることを特徴とする、請求項９または１０に記載の方法。
【請求項１２】
工程Ｓ２において、分析時、選択された衣類が混ぜて洗濯するのに適さない、および／または量を超えていると算出された場合、通知が自動でポップアップされることを特徴とする、請求項９に記載の方法。
【請求項１３】
前記洗濯パラメータがさらに浸漬時間、すすぎ時間、脱水時間、水位を含むことを特徴とする、請求項９に記載の方法。
【請求項１４】
前記カテゴリが、少なくとも衣類の洗濯強度により分類される種類を含み、強力類、しなやか類、デニム類、大物類、特殊類、頑固類を含むが、これに限定されないことを特徴とする、請求項９に記載の方法。
【請求項１５】
前記衣類モジュール中の衣類はメモリモジュール中に保存され、前記メモリモジュールは衣類に対応する好ましい洗濯パラメータも保存し、選択された衣類に基づいて、メモリモジュールに保存された情報により、好ましい洗濯パラメータを提案することを特徴とする、請求項９に記載の方法。
【請求項１６】
前記提案された好ましい洗濯パラメータについて、表示されるカテゴリに基づいて、このうちのいくつかを選択し、選択されたカテゴリが少なくとも特殊類を含むとき、好ましい洗濯パラメータは、特殊類中の、積み重ねた衣類で質量が最大の衣類に対応する洗濯パラメータであることを特徴とする、請求項９に記載の方法。
【請求項１７】
前記提案された好ましい洗濯パラメータについて、表示されるカテゴリに基づいて、このうちの強力類、しなやか類、デニム類、大物類、頑固類をいくつか選択するとき、好ましい洗濯パラメータは、積み重ねた衣類で質量が最大の衣類に対応する洗濯パラメータであることを特徴とする、請求項９に記載の方法。
【請求項１８】
付加機能モジュールをさらに含み、前記付加機能モジュールは、提案された好ましい洗濯パラメータに基づいて設定され、操作を選択することができる表示はインテリジェント端末にあり、前記付加機能モジュールは乾燥、洗剤、柔軟剤の１つまたはその組合せを含むことを特徴とする、請求項９に記載の方法。
【請求項１９】
インテリジェント洗濯機であって、少なくとも通信モジュール、制御モジュールを含み、このうち、
前記通信モジュールは、前記インテリジェント衣類洗濯管理装置と通信接続され、前記通信モジュールは、前記インテリジェント衣類管理装置が送信した操作コマンドを受信して、操作コマンドを前記制御モジュールに伝達する；
前記制御モジュールは、前記インテリジェント衣類洗濯管理装置がインテリジェントに設定した洗濯パラメータに基づいて、前記インテリジェント洗濯機を制御し、相応の操作を実行する；ことを特徴とする洗濯機。
【請求項２０】
前記洗濯パラメータが洗濯時間、洗濯温度、回転速度、浸漬時間、すすぎ時間、脱水時間、水位を含むことを特徴とする、請求項１９に記載のインテリジェント洗濯機。
【発明の詳細な説明】
【技術分野】
【０００１】
本発明はインテリジェント洗濯の技術分野に関し、特にインテリジェント衣類洗濯管理装置、方法および洗濯機である。
【背景技術】
【０００２】
現在、市場の家庭用洗濯機がユーザに提供しているのは、いくつかの大衆化されたプログラムであり、ユーザが洗濯前に選択したプログラムに基づいて、洗濯動作を完了する。つまり洗濯過程は、通常、選択されたプログラムに規定される洗濯時間、洗濯温度、洗濯の回転速度、洗濯水位、すすぎ時間、脱水時間などを含んでおり、ユーザの多様化した洗濯に対する要望を満足させることは到底できず、これらの洗濯プログラムにおける様々な素材または様々な色の衣類に対する適性は比較的低い。特に家庭での衣類洗濯において、各種素材、各種色の衣類を組み合わせることは比較的日常的であり、変化が多い。ユーザが洗濯プログラムを選択するとき、選択が適当でない場合、衣類をきれいに洗濯できないか、または衣類が摩損し、破れるか、または衣類が変形するか、または衣類が退色して相互に染まるなどの可能性がある。人々は日常の洗濯経験により、適した洗濯プログラムに編集することができるが、家庭での衣類洗濯において、時間および季節の変遷に伴い、衣類は絶えず代わるため、日常の洗濯経験に基づいて編集した洗濯プログラムも現実的ではない。
【０００３】
しかしながら、科学技術および社会が進歩し続けるのに伴い、インテリジェント端末を利用して、インテリジェント洗濯機を遠隔制御することは、次第に一般的になっている。家庭で使用されるインテリジェント洗濯機が次第に多くなるのに伴い、ＡＰＰによる遠隔制御をその重要な特徴として、常に関心を集めている。機能が高く、インテリジェント化したＡＰＰアプリケーションを提供し、ユーザにより多くの利便性をもたらすことができ、ユーザの使用における双方向性、使用感および実用性を高めている。
【０００４】
上記記載に基づくと、ユーザの衣類洗濯を助けるインテリジェント化したＡＰＰアプリケーションを提供すると、洗濯しようとする各種衣類の特徴に基づいて、自動で最適な洗濯プログラムを提案し、洗濯設備を制御することができる。
【発明の概要】
【発明が解決しようとする課題】
【０００５】
本発明が解決しようとする技術的問題は、既存技術の不足を克服することであり、インテリジェント衣類洗濯管理装置および方法を提供する。該洗濯管理装置は、ユーザが選択した様々な衣類の種類、衣類の素材に基づいて、洗濯プログラム中で最適な洗濯プログラムを提案することができ、ユーザが選択した様々な衣類の特徴などに対し、衣類洗濯のケアにおける最も好ましい洗濯アドバイスを示すこともできる。例えば、様々な衣類の色に基づいて、ユーザに異なる色は一緒に洗濯するのに適さないと通知する機能である。
【課題を解決するための手段】
【０００６】
本発明はインテリジェント衣類洗濯管理装置を示し、少なくとも衣類モジュール、洗濯プログラム提案モジュール、メモリモジュールおよび処理モジュールを含む。前記装置はインテリジェント端末に設置され、前記インテリジェント端末は洗濯設備と通信接続される。前記洗濯プログラム提案モジュールは、衣類モジュールから選択された衣類に基づいて、メモリモジュール中に保存された情報により、好ましい洗濯パラメータを提案する。前記処理モジュールは、洗濯プログラム提案モジュールが提案した洗濯パラメータを受信して、洗濯設備を制御する。好ましくは、衣類モジュール、処理モジュールとそれぞれ接続される言語モジュールをさらに含む。前記言語モジュールは、前記インテリジェント端末のマイクロフォンで入力された言語情報を受信し、言語情報を入力することにより、前記衣類モジュール中で衣類を選択する。前記洗濯プログラム提案モジュールは、選択された衣類のメモリモジュール中に保存された情報に基づいて、好ましい洗濯パラメータを提案する。前記処理モジュールはさらに分析処理を行い、洗濯設備を制御する。
【０００７】
好ましくは、前記衣類モジュールは衣類の種類および衣類情報を含み、前記衣類情報は少なくとも衣類の素材、衣類の色を含む。前記衣類の種類は、衣類の洗濯強度により分類される種類を少なくとも含み、強力類、しなやか類、デニム類、大物類、特殊類、頑固類を含むがこれに限定されない。
【０００８】
好ましくは、前記衣類情報は、さらに衣類の名称、洗濯強度、属するカテゴリ、衣類の質量を含む。
【０００９】
好ましくは、前記メモリモジュールは、衣類モジュール中の衣類と、１種の衣類および／または１種以上の衣類の組合せに対応する洗濯パラメータとを保存する。前記洗濯パラメータは洗濯時間、洗濯温度、回転速度を含む。
【００１０】
好ましくは、前記洗濯パラメータは、さらに浸漬時間、すすぎ時間、脱水時間、水位を含む。
【００１１】
好ましくは、付加機能モジュールをさらに含む。前記付加機能モジュールは、前記洗濯プログラム提案モジュールが提案する好ましい洗濯パラメータに基づいて設定され、操作を選択することができる表示はインテリジェント端末にある。前記付加機能モジュールは、乾燥、洗剤、柔軟剤の１つまたはその組合せを含む。
【００１２】
好ましくは、通知モジュールをさらに含む。前記通知モジュールは、選択した衣類が混ぜて洗濯するのに適さない、および／または選択した衣類が所定の質量を超えていることを通知する。
【００１３】
本発明は、インテリジェント衣類洗濯管理装置の衣類洗濯方法を提供する。前記方法は以下の工程を含む。
Ｓ１：衣類モジュール中に表示されるカテゴリの衣類を１カテゴリまたは数カテゴリ選択し、すでに選択した衣類が洗濯物領域に表示される。
Ｓ２：スタートをクリックすると、洗濯プログラム提案モジュールが、選択された衣類に基づいて分析した後、好ましい洗濯パラメータを自動で提案する。
Ｓ３：表示される提案された洗濯パラメータを起動すると、処理モジュールは洗濯プログラム提案モジュールが提案した洗濯パラメータを受信して、洗濯設備を制御する；洗濯パラメータは、少なくとも洗濯時間、洗濯温度、回転速度を含む。
【００１４】
好ましくは、工程Ｓ１において、表示されるカテゴリの衣類を選択するとき、各種の衣類を数回選択した場合、該衣類を数着選択したと表示される。
【００１５】
好ましくは、工程Ｓ１において、洗濯物領域に表示される衣類は削除することができる。
【００１６】
好ましくは、工程Ｓ２において、分析時、選択された衣類が混ぜて洗濯するのに適さない、および／または質量を超えていると算出された場合、通知が自動でポップアップされる。
【００１７】
好ましくは、前記洗濯パラメータは、さらに浸漬時間、すすぎ時間、脱水時間、水位を含む。
【００１８】
好ましくは、前記カテゴリは、少なくとも衣類の洗濯強度により分類される種類を含む。強力類、しなやか類、デニム類、大物類、特殊類、頑固類を含むが、これに限定されない。
【００１９】
好ましくは、前記衣類モジュール中の衣類はメモリモジュール中に保存され、前記メモリモジュールは、衣類に対応する好ましい洗濯パラメータも保存する。選択された衣類に基づいて、メモリモジュールに保存された情報により、好ましい洗濯パラメータを提案する。
【００２０】
好ましくは、前記提案された好ましい洗濯パラメータについて、表示されるカテゴリに基づいて、このうちのいくつかを選択し、選択されたカテゴリが少なくとも特殊類を含むとき、好ましい洗濯パラメータは、特殊類中の、積み重ねた衣服で質量が最大の衣類に対応する洗濯パラメータである。
【００２１】
好ましくは、前記提案された好ましい洗濯パラメータについて、表示されるカテゴリに基づいて、このうちの強力類、しなやか類、デニム類、大物類、頑固類をいくつか選択するとき、好ましい洗濯パラメータは、積み重ねた衣服の質量が最大の衣類に対応する洗濯パラメータである。
【００２２】
好ましくは、付加機能モジュールをさらに含む。前記付加機能モジュールは、提案された好ましい洗濯パラメータに基づいて設定され、操作を選択することができる表示はインテリジェント端末にある。前記付加機能モジュールは乾燥、洗剤、柔軟剤の１つまたはその組合せを含む。
【００２３】
本発明はインテリジェント洗濯機を提供し、少なくとも通信モジュール、制御モジュールを含む。このうち、
前記通信モジュールは、前記インテリジェント衣類洗濯管理装置と通信接続される。前記通信モジュールは、前記インテリジェント衣類洗濯管理装置が送信した操作コマンドを受信し、さらに操作コマンドを前記制御モジュールに伝達する。
前記制御モジュールは、前記インテリジェント衣類洗濯管理装置がインテリジェントに設定した洗濯パラメータに基づいて、前記インテリジェント洗濯機を制御し、相応の操作を実行する。
【００２４】
好ましくは、前記洗濯パラメータは洗濯時間、洗濯温度、回転速度、浸漬時間、すすぎ時間、脱水時間、水位を含む。
【００２５】
本発明において、インターフェイスがフレンドリーであり、機能が高い洗濯管理装置を提供することにより、提供したインターフェイスで様々な衣類の種類および衣類の素材を選択する。該装置は、選択された状況に基づいてさらに分析処理を行い、適した洗濯プログラムを提案する。洗濯プログラムは浸漬時間、洗濯時間、洗濯温度、洗濯の回転速度、すすぎ時間、脱水時間、水位などを含むが、これに限定されない。ユーザは提案された洗濯プログラムを起動し、衣類洗濯の進行を追跡することにより、リアルタイムで調べることができる。
【図面の簡単な説明】
【００２６】
【図１】図１は、本発明の実施例におけるインテリジェント衣類洗濯管理装置およびインテリジェント洗濯機の相互構造のブロック図である。
【図２】図２は、本発明の実施例における衣類モジュール１次メニューの表示ブロック図である。
【図３】図３は、本発明の実施例における衣類モジュール中の特殊類２次メニューの表示ブロック図である。
【図４】図４は、本発明の実施例において、選択された衣類に基づいて洗濯プログラムを提案するフローチャートである。
【発明を実施するための形態】
【００２７】
モノのインターネット技術が台頭するのに伴い、インテリジェント家電は将来の発展が見込まれ、インテリジェント洗濯機のインテリジェント化の程度は次第に高くなっている。現在、インテリジェント洗濯機は、一般的にスマートフォン、タブレットパソコンなどの端末でディスプレイによって操作することにより、ユーザの端末での制御を実現している。しかしながら、ＡＰＰアプリケーションは、機能的に、およびインテリジェント化において明らかに特に重要である。本発明は、洗濯する衣類を選択するときにユーザを助けることを目的としたインテリジェント衣類洗濯管理装置を示し、より適した洗濯プログラムを提案することができる。ヒューマンコンピュータインタラクションの制御の利便性を高め、ユーザはより人に優しく、インテリジェント化された生活を体験する。
【００２８】
以下、図および具体的な実施方式を組み合わせて、本発明についてさらに記載する。
【００２９】
本発明は、インテリジェント衣類洗濯管理装置を提供する。図１に示すように、前記装置は衣類モジュール、洗濯プログラム提案モジュール、メモリモジュール、および処理モジュールを含む。前記衣類モジュールは衣類の種類および衣類情報を含み、前記衣類情報は衣類の素材、衣類の色、衣類の重量、衣類の名称、洗濯強度、属するカテゴリ、衣類の質量を含む。前記衣類の種類は、少なくとも衣類の洗濯強度により分類される種類を含み、強力類、しなやか類、デニム類、大物類、特殊類、頑固類を含むが、これに限定されない。前記メモリモジュールは、衣類モジュール中の衣類と、１種の衣類および／または１種以上の衣類の組合せに対応する洗濯パラメータとを保存する。
【００３０】
具体的に、衣類洗濯管理装置を起動すると、図２に示すように、衣類モジュールを選択して、衣類モジュール１次メニューに、強力類、しなやか類、デニム類、大物類、特殊類、頑固類を含むカテゴリが表示される。上記１次メニューのうちの１つのカテゴリを選択し、該カテゴリに進むと、該カテゴリ中に２次メニューのさらなるカテゴリが表示される。図３に、１次メニューの特殊類から２次メニューに進んで表示される内容を示す。このうち、強力類は綿麻ジャケット、綿麻長ズボン、綿下着、子供用ジャケット、子供用下着を含む。しなやか類は化学繊維ジャケット、化学繊維長ズボンを含む。デニム類はデニムジャケット、ジーンズを含む。大物類はシーツ、布団カバー、綿麻カーテン、シアーカーテン、毛布を含む。特殊類はダウンジャケット、ウールセータ、本絹の衣類、ウインドブレーカ、綿スカート、シアースカート、化学繊維シャツ、綿麻シャツを含む。頑固類は学校の制服、作業服を含む。２次メニューでこのうちの１つのカテゴリを選択し、３次メニューに進むと、該カテゴリに具体的な衣類が表示される。各具体的な衣類は、唯一の番号を設定することができ、管理および区分に便利である。各衣類はそれ自体の衣類情報を含み、需要に基づいてその編集を修正することができる。
【００３１】
さらに、該装置は、少なくとも衣類の洗濯強度により分類される種類を含む、衣類の種類に基づいて、低いものから高いものまで６つの洗濯強度レベルに区分される。Ｌｎを表示記号として、６つの衣類洗濯強度レベルを表し、Ｌｎｖを表示記号として、６つの各レベルに含まれる次のレベルのカテゴリの衣類洗濯強度レベルを表す。このうち、ｎおよびｖはいずれも自然数１から９のうちの任意の自然数であり、ｎの値が大きいほど、衣類の洗濯強度レベルは高くなる。ｎが同じであるとき、さらにｖの値を比較し、ｖの値が大きいほど、衣類の洗濯強度レベルは高くなる。各種類の衣類はそれ自体の特性に基づいて、対応する洗濯強度レベルが洗濯強度により段階的に増加する。対応する表示記号は大きいものから小さいものまで順次Ｌ６＞Ｌ５＞Ｌ４＞Ｌ３＞Ｌ２＞Ｌ１であり、表１に示す通りである。このうち、上記中の各種衣類の種類に含まれるカテゴリの衣類に対応する表示記号、および各種種類に対応する衣類の設定質量（単位ｋｇ）において、各衣類の質量は、試験により設定された推定値であり、各カテゴリの衣類に対応する洗濯強度レベルは、高いものから低いものまでＬ６＞Ｌ５２＞Ｌ５１＞Ｌ４＞Ｌ３＞Ｌ２＞Ｌ１６＞Ｌ１５＞Ｌ１４＞Ｌ１３＞Ｌ１２＞Ｌ１１であり、下表２に示す通りである。
【００３２】
表１  洗濯強度レベル
【００３３】
【表１】
2018511379.tif 000003
【００３４】
表２  衣類の質量の対応表
【００３５】
【表２】
2018511379.tif 000004
【００３６】
表３に示すのは、上記衣類の名称に対応する洗濯強度レベルの表示記号に基づいて列記した対応関係であり、表中に一部の衣類に対応する洗濯パラメータを示す。前記洗濯パラメータは大量の実験により得られた最も好ましい洗濯データであり、各カテゴリの衣類の素材など特性に基づいて、様々な洗濯パラメータに対応する。前記洗濯パラメータは浸漬時間、回転速度、洗濯時間、すすぎ時間、脱水時間、洗濯温度、水位、回転速度を含むが、これに限定されない。
【００３７】
表３  単一種類の衣類に対応する洗濯パラメータ
【００３８】
【表３】
2018511379.tif 000005
【００３９】
上表中の各衣類の洗濯強度レベルに基づいて設定される洗濯パラメータについて、ユーザが選択した洗濯物が同じレベルであるとき、装置は該レベルに対応する洗濯パラメータを提案する。ユーザが選択した洗濯物が複数の異なるレベルであるとき、１）ユーザが選択した洗濯物が少なくとも特殊類（すなわち特殊類の洗濯強度レベルがＬ１１からＬ１６の任意の１つまたは複数）を含む場合、装置が提案する好ましい洗濯パラメータは、特殊類中の、積み重ねた衣類で質量が最大の衣類に対応する洗濯パラメータである。２）ユーザが選択した洗濯物が特殊類を含まず、強力類、しなやか類、デニム類、大物類、頑固類のうちの複数のカテゴリを含む場合、装置が提案する好ましい洗濯パラメータは、積み重ねた衣類で質量が最大の衣類に対応する洗濯パラメータである。
【００４０】
前記装置はインテリジェント端末に設置され、前記インテリジェント端末は洗濯設備と通信接続される。前記洗濯プログラム提案モジュールは、衣類モジュールから選択された衣類に基づいて、メモリモジュールに保存された情報により、好ましい洗濯パラメータを提案する。前記処理モジュールは、洗濯プログラム提案モジュールが提案した洗濯パラメータを受信して、洗濯設備を制御する。前記装置は、さらに付加機能モジュールを含む。前記付加機能モジュールは、前記洗濯プログラム提案モジュールが提案した好ましい洗濯パラメータに基づいて設定され、操作を選択することができる表示はインテリジェント端末にある。前記付加機能モジュールは、乾燥、洗剤、柔軟剤の１つまたはその組合せを含む。
【００４１】
前記装置は、衣類モジュール、処理モジュールとそれぞれ接続される言語モジュールをさらに含む。装置を起動して、言語モジュールを選択すると、前記言語モジュールは前記インテリジェント端末のマイクロフォンで入力される言語情報を受信する。言語モジュールを起動し、言語による通知通りに相応する言語情報を入力し、操作を実現する。言語による通知に基づいて、言語情報を入力することにより、前記衣類モジュールから衣類を選択する。前記洗濯プログラム提案モジュールは、選択された衣類のメモリモジュール中に保存された情報に基づいて、好ましい洗濯パラメータを提案する。前記処理モジュールはさらに分析処理を行い、洗濯設備を制御する。
【００４２】
本発明は、さらにインテリジェント衣類洗濯方法を示しており、以下の工程を含む。
Ｓ１：衣類モジュール中に表示されるカテゴリの衣類を１カテゴリまたは数カテゴリ選択し、すでに選択した衣類が洗濯物領域に表示される。
Ｓ２：スタートをクリックすると、洗濯プログラム提案モジュールが、選択された衣類に基づいて分析した後、洗濯パラメータを自動で提案する。
Ｓ３：表示される提案された洗濯パラメータを起動すると、処理モジュールは洗濯プログラム提案モジュールが提案した洗濯パラメータを受信して、洗濯設備を制御する；洗濯パラメータは洗濯時間、洗濯温度、回転速度を含む。
【００４３】
さらに、図４に示すように、該方法の具体的な工程は以下の通りである。
【００４４】
（１）衣類洗濯管理装置を起動し、該操作を選択することができるインターフェイスで衣類モジュールを選択し、操作を選択することができる衣類モジュールのインターフェイスで、表示されるカテゴリの１つを選択する。該カテゴリの次のレベルのカテゴリに進み、このうちの衣類から１着目の衣類を選択してすでに選択した衣類とする。
【００４５】
特に、衣類を選択すると、洗濯物領域に自動で追加され、ユーザは選択した衣類がどれであるかを見るのに便利であり、選択した衣類の洗濯回数の集計を見ることができる。このうち、前記洗濯物領域は衣類を選択すると自動で表示され、洗濯物領域に表示される衣類を操作することもできる。洗濯物領域において、ある種の衣類が１より大きい数字で表示されるとき、該カテゴリに洗濯する衣類が数着含まれることを表す。ユーザがすでに選択した衣類を削除する必要があるとき、洗濯物領域の衣類を上にドラッグすると、該衣類を削除することができる。
【００４６】
例えば、衣類モジュールを選択した後、表示される１次メニューで特殊類を選択し、該カテゴリに進み、表示される２次メニューでダウンジャケットを選択する。ダウンジャケットに表示される３次メニューの衣類に進み、任意の衣類を３着選択すると、洗濯物領域にダウンジャケットを３着洗濯すると表示される。
【００４７】
（２）引き続き、表示されるカテゴリにおいて、このうちの１つを選択し、該カテゴリの次のレベルのカテゴリに進み、このうちの衣類から次の１着を選択する。システムは、すでに選択した衣類と、工程（２）で選択した衣類とに基づいて、混ぜて洗濯するのに適しているかどうかをさらに判断する。混ぜて洗濯するのに適さない場合、システムがユーザに通知し、ユーザは通知に基づいて、今回選択した衣類を取り消すかどうかを手動で選択し、工程（３）を実行する。そうでなければ、工程（３）を実行する。
【００４８】
選択した次の衣類と、これより前にすでに選択した衣類とが同一のカテゴリであるとき、該回に衣類を選択すると、衣類の選択を終了する。さらにすべてのすでに選択した衣類の色が混ぜて洗濯するのに適した状況では、システムは該カテゴリの洗濯パラメータを直接提案する。表３に示す衣類の洗濯パラメータの対照表を参照すると、例えばすでに選択した衣類がデニムジャケット１着であり、次の１着にジーンズを選択した場合、システムが提案する洗濯パラメータは、少なくともすすぎ回数２回、脱水時間３分間、温度設定３０℃、洗濯時間１５分間である。
【００４９】
表２に示すレベル区分を参照すると、洗濯強度レベルが低い衣類はレベルが高い衣類と混ぜて洗濯するのに適さない。例えば、特殊類の衣類はその他のカテゴリの衣類と混ぜて洗濯するのに適さない、または下着はその他の衣類と混ぜて洗濯するのに適さない、色落ちしやすい衣類および薄い色の衣類は混ぜて洗濯するのに適さないなどである。
【００５０】
（３）システムはすでに選択した衣類の総重量が、規定の洗濯重量より小さいかどうかを分析する。そうでない場合、システムがユーザに通知し、ユーザは通知に基づいて、衣類の選択を終了するかどうかを選択することができる。規定の洗濯重量より小さい場合、ユーザは必要に基づいて衣類の選択を終了するかどうかを選択する。衣類の選択を終了する場合、工程（４）を実行し、そうでなければ工程（２）を実行する。
【００５１】
システムはすべての衣類に対応する質量を、すでに該システム中に設定しており、表２に各衣類の設定に対応する質量を示す。ユーザがすでに選択した衣類の累計重量に基づいて、すでに選択した衣類の総重量を得ることができ、さらに既定の洗濯重量と比較し、判断する。
【００５２】
システムはすでに選択した衣類に基づいてインテリジェント計算を起動し、すでに選択した衣類が特殊類の衣類を含んでいるかどうかを分析する。特殊類の衣類を含んでいない場合、システムは各種類の衣類の総重量を集計し、さらに総重量が最大の衣類の名称を取得する。そうでなければ、特殊類の衣類中における各種衣類の総重量を集計し、さらに総重量が最大の衣類の名称を取得する。総重量が最大である衣類の種類が２種類を超えるかどうかを判断し、超えない場合、工程（５）を実行する。そうでなければ、すでに選択した衣類中の洗濯強度レベルが最も低い衣類の名称を取得し、工程（５）を実行する。
【００５３】
特に、特殊類の衣類は通常、洗濯強度が比較的低く、その他の衣類と混ぜて洗濯するべきではない。例えばウインドブレーカ、ウールセータ、ダウンジャケットなど特殊類は、その他のカテゴリの衣類と混ぜて洗濯するのに適さない。さらに例えば、衣類のカテゴリのうち綿麻類、化学繊維類、デニム類の２つまたは３つを選択するとき、好ましい洗濯プログラムは混合と表示される。
【００５４】
（５）衣類の名称に基づき、データベースを検索して、洗濯パラメータを取得し、洗濯パラメータは洗濯時間、洗濯温度、すすぎ回数、脱水時間、脱水の回転速度を含む。さらに付加機能モジュール中で付加機能の乾燥、洗剤、柔軟剤の１つまたはその組合せを選択する。
【００５５】
特に、洗濯プログラム中の綿麻、化学繊維、混合は、異なる回転停止比および洗濯パラメータの限度値などに対応する。
【００５６】
（６）スタートをクリックすると、システムは洗濯パラメータをインテリジェント洗濯機に送信し、相応の操作を実行する。
【００５７】
さらに、インテリジェント洗濯機は、少なくとも通信モジュール、制御モジュールを含む。このうち、前記通信モジュールは、前記インテリジェント衣類洗濯管理装置と通信接続される。前記通信モジュールは、前記インテリジェント衣類洗濯管理装置が送信した操作コマンドを受信し、さらに操作コマンドを前記制御モジュールに伝達する。前記制御モジュールは、前記インテリジェント衣類洗濯管理装置がインテリジェントに設定した洗濯パラメータに基づいて、前記インテリジェント洗濯機を制御し、相応の操作を実行する。前記洗濯パラメータは洗濯時間、洗濯温度、回転速度、浸漬時間、すすぎ時間、脱水時間、水位を含む。前記インテリジェント衣類洗濯管理装置は、インテリジェント端末に設置される。
【００５８】
制御モジュールは、操作コマンドに基づいて、相応する洗濯パラメータを呼び出し、インテリジェント洗濯機を制御して稼働させる。例えば、インテリジェント衣類洗濯管理装置が洗濯時間を８分間、温度を２５℃に設定した場合、インテリジェント衣類洗濯管理装置がインテリジェント洗濯機と通信接続されると、インテリジェント洗濯機は送信された操作コマンドを受信し、該操作コマンドに基づいて、洗濯時間８分間、温度２５℃で実行する。さらに通信モジュールが、例えばインテリジェント洗濯機の動作状況など、フィードバック情報をインテリジェント衣類洗濯管理装置に送信するか、またはインテリジェント洗濯機が、インテリジェント衣類洗濯管理装置の検索コマンドを受信して、動作状態のデータであるフィードバック情報を、インテリジェント衣類洗濯管理装置に送信し、ユーザに提供する。
【００５９】
本発明が示すインテリジェント衣類洗濯管理装置を使用すると、ユーザが各種種類、様々な素材、および様々な色の衣類を選択して衣類洗濯するとき、分析処理により、ユーザに最適な洗濯プログラムを自動で提案することができ、ユーザの洗濯に対する要求および目的を大いに満足させる。これにより各種衣類を混ぜて洗濯するとき、損傷および変形しにくく、さらには衣類が退色するとき、相互に染まらないなど、ユーザにより多くの利便性をもたらす。
【００６０】
上記実施例中の実施案はさらに組み合わせるか、または置換することができ、さらに実施例は本発明の好ましい実施例について記載したに過ぎず、本発明の構想および範囲を限定しない。本発明の設計の発想を逸脱しない前提の下、当業者が本発明の技術案に対して行う各種の変更および改良は、いずれも本発明の保護範囲に属する。
【図１】
2018511379.tif 000006
【図２】
2018511379.tif 000007
【図３】
2018511379.tif 000008
【図４】
2018511379.tif 000009
【国際調査報告】
2018511379.tif 000010
2018511379.tif 000011
2018511379.tif 000012
2018511379.tif 000013